(57)【要約】【課題】コンテンツ再生中に別情報を提示するに際し、コンテンツを再生する度に別情報の抑止操作を行う必要もなく、ユーザに対しコンテンツ視聴中に不快感を与えず、且つ、別情報提供者側からの能動的な配信に対応した提示も可能とする。【解決手段】コンテンツを再生するコンテンツ再生部１１と、コンテンツ再生部１１で再生中のコンテンツに関するコンテンツ関連情報を参照するコンテンツ関連情報参照部１２と、コンテンツ関連情報参照部１２で参照したコンテンツ関連情報に基づいて、再生中のコンテンツの一部あるいは全体に、そのコンテンツとは別の情報である別情報を追加する別情報追加部１３とを備える。【選択図】図２
2006295799.tif 000002
【特許請求の範囲】
【請求項１】
コンテンツを再生するコンテンツ再生手段と、該コンテンツ再生手段で再生中のコンテンツに関するコンテンツ関連情報を参照するコンテンツ関連情報参照手段と、該コンテンツ関連情報参照手段で参照したコンテンツ関連情報に基づいて、前記再生中のコンテンツの一部あるいは全体に、該コンテンツとは別の情報である別情報を追加する別情報追加手段とを備えたことを特徴とするコンテンツ再生装置。
【請求項２】
請求項１に記載のコンテンツ再生装置において、コンテンツと前記コンテンツ関連情報を関連付けて記録する記録手段をさらに備え、前記コンテンツ関連情報参照手段は、前記記録手段で記録されたコンテンツが前記コンテンツ再生手段で再生されているときには、前記記録手段で記録されたコンテンツ関連情報を参照することを特徴とするコンテンツ再生装置。
【請求項３】
請求項１または２に記載のコンテンツ再生装置において、前記別情報を加工する別情報加工手段をさらに備えたことを特徴とするコンテンツ再生装置。
【請求項４】
請求項１ないし３のいずれか１項に記載のコンテンツ再生装置において、前記別情報追加手段は、前記コンテンツ関連情報が所定の条件を満たすときのみ、別情報の追加を実行することを特徴とするコンテンツ再生装置。
【請求項５】
請求項１ないし４のいずれか１項に記載のコンテンツ再生装置において、通信網を通じてデータを送受信する通信手段をさらに備えたことを特徴とするコンテンツ再生装置。
【請求項６】
請求項５に記載のコンテンツ再生装置において、前記コンテンツ関連情報参照手段は、前記通信手段を介し通信網を通じてコンテンツ関連情報を参照する手段を有することを特徴とするコンテンツ再生装置。
【請求項７】
請求項５または６に記載のコンテンツ再生装置において、前記通信手段を介し通信網を通じて、追加すべき別情報を取得する別情報取得手段をさらに備えたことを特徴とするコンテンツ再生装置。
【請求項８】
請求項５ないし７のいずれか１項に記載のコンテンツ再生装置と、別情報配信サーバとを含んで構成されたコンテンツ再生システムであって、前記別情報配信サーバは、前記通信網を通じてデータを送受信する通信手段と、前記コンテンツ再生装置を特定し前記別情報を配信する別情報配信手段とを有することを特徴とするコンテンツ再生システム。
【発明の詳細な説明】
【技術分野】
【０００１】
本発明は、コンテンツ再生装置およびコンテンツ再生システムに関し、より詳細には、コンテンツ再生中に別情報を追加し再生するコンテンツ再生装置およびコンテンツ再生システムに関する。
【背景技術】
【０００２】
昨今のインターネット等の通信網の発達により、放送番組、音楽、映画、ニュース、天気予報、ＴＶ番組表、ＣＤのアーティスト名や曲名、といったあらゆるコンテンツや情報が電子化され、通信網を通じて取得することが可能になった。
【０００３】
それに伴い、様々な家庭電化製品も様相を変えつつある。ＴＶやビデオが通信網に常時接続され、電子番組表から番組のタイトル、放送時間、出演者等の情報を取得でき、視覚的に選択するだけで視聴や録画が可能な製品が発売されている。また、ＣＤやＤＶＤプレーヤ等のコンテンツ再生装置も通信網に接続することにより音楽あるいは動画コンテンツをダウンロードし、さらに自動的にアーティスト名や曲名を取得し、表示できる製品も登場しつつある。
【０００４】
また、クレジットカードや携帯電話通話料によって支払いができる電子決済システムの発達により、通信網を利用したショッピング分野も急成長している。それに伴い、ＴＶ等で家に居ながらにして通信網上の商店から品物やコンテンツを購入できるといったショッピングモデルの確立が可能となり、商店側は各家庭のＴＶに商品広告を配信し、販売促進をするといった技術も開発され始めてきている。
【０００５】
さらには、利用者がテレビ電子番組表サービスを利用して所望の番組を情報機器で選択し情報家電機器に対してその番組の録画予約を行なうためのメッセージをサービス提供装置に送信すると、予約対象の番組情報が利用者の個人嗜好情報としてサービス提供装置に蓄積され、その個人嗜好情報に基づく広告がサービス提供センタ側から録画予約命令とともに情報家電機器に送信されるようにした広告配信システムも提案されている（例えば、特許文献１を参照）。この広告配信システムでは、ユーザのＴＶ番組録画予約時の情報から、例えばこのユーザは「○○番組は必ず見る」といった嗜好情報を収集し、その番組のＤＶＤが発売された際にはユーザのＴＶ画面に広告を配信するといったことも可能となる。
【０００６】
また、ユーザに不快感を与えずに広告を配信する技術として、ユーザがコンテンツ視聴に集中している際にはリモコンの抑止ボタンを押下し広告抑止操作をすることにより、その番組が終わるまで広告表示を抑止しておき、番組終了後に表示するといった技術も提案されている（例えば、特許文献２を参照）。
【特許文献１】特開２００２−７８７３号公報
【特許文献２】特開２００３−６１００３号公報
【発明の開示】
【発明が解決しようとする課題】
【０００７】
しかしながら、特許文献２に記載の広告抑止方法では、現在放送中の番組に対する広告抑止操作しか行えない。例えば、次週に同じ番組を視聴する際の抑止や、映画を見ている際はどんな映画でも抑止したいといったジャンル別の抑止要求には応えられず、その都度、抑止操作をする必要がある。このため、ユーザは、抑止操作に煩雑さを感じてしまい、広告表示自体に不愉快感を感じ、常に広告表示を抑止する設定にしてしまう。その結果、「広告提供側は広告効果を得られず商品を買ってもらえない」、「ユーザ側は欲しい新商品があっても気づかない」という、双方にとって不利益になってしまうケースが発生するという欠点がある。
【０００８】
また、特許文献１に記載の広告配信システムでは、ユーザ個人の嗜好情報に基づく広告の自動配信が可能であり、ユーザに不快感を与えることはないが、嗜好情報に合致しない商品の情報をユーザが視聴可能に広告提供者側から能動的に配信することができず、広告提供者にとって不利益となってしまうケースが発生する。
【０００９】
本発明は、上述のごとき実情に鑑みてなされたものであり、コンテンツ再生中にニュース速報や広告情報等の別情報を提示するに際し、コンテンツを再生する度に別情報の抑止操作を行う必要もなく、ユーザに対しコンテンツ視聴中に不快感を与えずに済み、且つ、別情報提供者側からの能動的な配信に対応した提示も可能な、コンテンツ再生装置およびコンテンツ再生システムを提供することをその目的とする。
【課題を解決するための手段】
【００１０】
本発明は、上述のごとき目的を達成するために、以下の各技術手段でそれぞれ構成される。
【００１１】
第１の技術手段は、コンテンツ再生装置において、コンテンツを再生するコンテンツ再生手段と、該コンテンツ再生手段で再生中のコンテンツに関するコンテンツ関連情報を参照するコンテンツ関連情報参照手段と、該コンテンツ関連情報参照手段で参照したコンテンツ関連情報に基づいて、前記再生中のコンテンツの一部あるいは全体に、該コンテンツとは別の情報である別情報を追加する別情報追加手段とを備えたことを特徴としたものである。
【００１２】
第２の技術手段は、第１の技術手段において、コンテンツと前記コンテンツ関連情報を関連付けて記録する記録手段をさらに備え、前記コンテンツ関連情報参照手段は、前記記録手段で記録されたコンテンツが前記コンテンツ再生手段で再生されているときには、前記記録手段で記録されたコンテンツ関連情報を参照することを特徴としたものである。
【００１３】
第３の技術手段は、第１または第２の技術手段において、前記別情報を加工する別情報加工手段をさらに備えたことを特徴としたものである。
【００１４】
第４の技術手段は、第１ないし第３のいずれかの技術手段において、前記別情報追加手段は、前記コンテンツ関連情報が所定の条件を満たすときのみ、別情報の追加を実行することを特徴としたものである。
【００１５】
第５の技術手段は、第１ないし第４のいずれかの技術手段において、通信網を通じてデータを送受信する通信手段をさらに備えたことを特徴としたものである。
【００１６】
第６の技術手段は、第５の技術手段において、前記コンテンツ関連情報参照手段は、前記通信手段を介し通信網を通じてコンテンツ関連情報を参照する手段を有することを特徴としたものである。
【００１７】
第７の技術手段は、第５または第６の技術手段において、前記通信手段を介し通信網を通じて、追加すべき別情報を取得する別情報取得手段をさらに備えたことを特徴としたものである。
【００１８】
第８の技術手段は、第５ないし第７のいずれかの技術手段におけるコンテンツ再生装置と、別情報配信サーバとを含んで構成されたコンテンツ再生システムであって、前記別情報配信サーバは、前記通信網を通じてデータを送受信する通信手段と、前記コンテンツ再生装置を特定し前記別情報を配信する別情報配信手段とを有することを特徴としたものである。
【発明の効果】
【００１９】
本発明によれば、コンテンツ再生中に別情報を提示するに際し、コンテンツを再生する度に別情報の抑止操作を行う必要もなく、ユーザに対しコンテンツ視聴中に不快感を与えずに済み、且つ、別情報提供者側からの能動的な配信に対応した提示も可能となる。
【発明を実施するための最良の形態】
【００２０】
本発明は、ユーザがコンテンツ視聴中に、視聴中のコンテンツとは別のニュース速報のような別情報を追加し、再生することが可能なコンテンツ再生装置またはその装置を含むコンテンツ再生システムである。本発明の詳細を説明するに際し、まず、本明細書において使用される用語の説明を行う。本明細書中、係る用語の記述があった場合にはこれらの定義に準ずるものとする。
【００２１】
「コンテンツ」とは、あらゆる音、画像、動画、およびそれらをデータ化したものを指し、例えばＴＶ番組、デジタル放送番組、衛星放送番組、ＤＶＤに収録された動画、ＣＤに収録された音楽、音楽データ、動画データ、ストリーミングデータ、録音あるいは録画した音楽や動画、写真、デジタルカメラや携帯電話等で記録した音声データおよび画像データ等である。
【００２２】
「コンテンツ再生装置」は、放送受信、ネットワーク配信受信、記録媒体からの読み出し等によって取得したコンテンツを再生する端末装置であり、以下、「コンテンツ再生端末」という。コンテンツ再生端末とは、例えば、パーソナルコンピュータ（ＰＣ）、携帯電話、ＴＶ、ＰＤＡ（Ｐｅｒｓｏｎａｌ  Ｄｉｇｉｔａｌ  Ａｓｓｉｓｔａｎｔ：携帯情報端末）、ＣＤプレーヤ、ＤＶＤプレーヤ、ラジオ、携帯オーディオプレーヤ等を指す。また、本明細書において以降、「端末」と表記した場合には、「コンテンツ再生端末」を指すものとする。
【００２３】
「コンテンツ関連情報」とは、コンテンツに関連する情報であり、例えば、放送時間、タイトル、ジャンル、出演者、画像の大きさ、動画や音楽の長さ、データファイルのフォーマット、ファイルサイズ、作成年月日、作成機器等を指す。
【００２４】
「別情報」とは、本明細書中、コンテンツに追加してユーザに知らせるべき情報のことを指し、例えば、現在時刻、天気予報、ニュース速報、株価情報、新作映画情報、商品広告等を指す。
【００２５】
「通信網」とは、データを送受信できるあらゆる接続手段であり、インターネット網、イントラネット網、携帯電話網、無線通信網、赤外線通信網等を指す。
【００２６】
「ＥＰＧ」とは、Ｅｌｅｃｔｒｏｎｉｃ  Ｐｒｏｇｒａｍ  Ｇｕｉｄｅの略であり、電子番組表のことを指し、新聞のＴＶ欄にあたる情報をデータベース化したものであり、番組に関するコンテンツ関連情報、例えば番組名、タイトル、ジャンル、出演者等の情報を得ることができる。
【００２７】
「ＣＤＤＢ」とは、ＣＤ  Ｄａｔａｂａｓｅ  の略であり、ＣＤに収録されている曲に関するコンテンツ関連情報、例えばＣＤに収録されている曲の曲名、アーティスト名、曲長等の情報を得ることができる。
【００２８】
「記録メディア」とは、コンテンツをデータ化したものを記録できる媒体であり、ＣＤ、ＤＶＤ、ＳＤ（Ｓｅｃｕｒｅ  Ｄｉｇｉｔａｌ）カード、ＣＦ（Ｃｏｍｐａｃｔ  Ｆｌａｓｈ）カード等を指す。
【００２９】
本発明に係るコンテンツ再生端末は、記録メディアに記録されているコンテンツを再生するＣＤプレーヤ、通信網から動画データをダウンロードしながら再生するストリーミング再生を行えるプレーヤ、デジタル放送チューナ付きＴＶ等を指し、コンテンツをディスプレイおよび／またはスピーカに出力し視聴可能な状態にするコンテンツ再生手段と、コンテンツに記録されている（あるいは端末外から取得した）コンテンツ関連情報を参照するコンテンツ関連情報参照手段とを有するものとする。
【００３０】
そして、本発明に係るコンテンツ再生端末は、上述のコンテンツ再生手段およびコンテンツ関連情報参照手段に加え、別情報追加手段を備えるものとする。この別情報追加手段は、コンテンツ関連情報参照手段で参照したコンテンツ関連情報に基づいて、再生中のコンテンツの一部あるいは全体に、そのコンテンツとは別の情報（別情報）を追加する手段である。
【００３１】
この別情報追加手段によりユーザに別情報（コンテンツ以外の情報）を供給することとなるが、別情報の追加は、参照したコンテンツ関連情報に基づき適切なタイミングと追加（付加）方法によって実行する。このため、コンテンツ関連情報参照手段は、少なくとも再生中のコンテンツに対し、再生開始時や再生開始から早い段階でそのコンテンツ関連情報を参照するよう構成するとよい。また、コンテンツを再生する際に毎回コンテンツ関連情報を参照するのではなく、別情報の追加要求がなされているときのみ、コンテンツ関連情報の参照を行うようにしてもよい。
【００３２】
別情報の追加は、参照したコンテンツ関連情報に基づき実行されるが、コンテンツ関連情報が例えばユーザにより指定された所定の条件を満たすときのみ、別情報の追加を実行することが好ましい。ここで、所定の条件（特定条件ともいう）とは、例えば、別情報を追加してもよいジャンルの指定（ユーザ指定では別情報を追加してほしくないジャンルを指定させてもよい）、時刻指定等が挙げられる。
【００３３】
また、コンテンツ関連情報に基づく別情報の追加とは、例えば、「携帯音楽プレーヤで音楽を視聴中に、ニュース速報等の別情報を音声合成し、イヤホンに出力することにより、ユーザは別情報を取得する」といったシナリオにおいて、まず、コンテンツの再生中に、コンテンツ関連情報を参照して視聴中の曲が特定のアーティストの曲であるか否かを判定する。そして、特定のアーティストの曲を視聴中である場合には、ニュース速報を保留しておき、その曲が終了した際に音声合成することにより、ユーザがコンテンツに集中したいタイミングを避けて情報提供することができる。
【００３４】
このように、本発明に係る端末によれば、コンテンツ再生中に別情報を提示するに際し、コンテンツを再生する度に別情報の抑止操作を行う必要もなく、ユーザに対しコンテンツ視聴中に不快感を与えずに済む。
【００３５】
また、端末には、コンテンツとコンテンツ関連情報を関連付けて記録する記録手段を備えることが好ましい。そして、コンテンツ関連情報参照手段は、記録手段で記録されたコンテンツがコンテンツ再生手段で再生されているときには、後述する通信網経由での参照を行わずに、記録手段で記録されたコンテンツ関連情報を参照することで済ませるとよい。
【００３６】
また、端末には、別情報を加工する別情報加工手段を備えることが好ましい。実際、別情報をそのまま出力するだけでなく、加工してからの出力も可能とすることで、ユーザに不快感を与えないような別情報提示方法の種類が増す。また、この別情報加工も、コンテンツ関連情報が所定の条件を満たしたときのみ実行するようにしてもよい。
【００３７】
また、端末には、通信網を通じて様々なデータを送受信する通信手段を備えておくことが好ましい。そして、コンテンツ関連情報参照手段は、この通信手段を介し通信網を通じて、通信網上のサーバ等の情報処理装置に格納されているコンテンツ関連情報を参照する手段を備えておいてもよい。また、端末には、通信手段を介し通信網を通じて、追加すべき別情報を取得する別情報取得手段をさらに備えることが好ましい。これらの形態のように、コンテンツ関連情報や別情報の取得経路を多くしておくことで、様々なシステムに対応できる。
【００３８】
また、本発明に係るコンテンツ再生システムは、端末と、端末に別情報を能動的にプッシュ配信する手段を有する別情報配信サーバを含むものとする。この別情報配信サーバは、通信網を通じてデータを送受信する通信手段と、端末を特定し別情報を配信する別情報配信手段とを有する。
【００３９】
本発明に係るコンテンツ再生システムによれば、コンテンツ再生中に別情報を提示するに際し、コンテンツを再生する度に別情報の抑止操作を行う必要もなく、ユーザに対しコンテンツ視聴中に不快感を与えずに済み、且つ、別情報提供者側からの能動的な配信に対応した提示も可能となる。
【００４０】
以降、図面を用いて本発明を詳細に説明する。なお、ここでは、端末における別情報，コンテンツ関連情報，コンテンツの様々な取得方法に対応可能なコンテンツ再生システムについて、本発明の一実施形態として説明を行う。本発明はその一部の取得方法にのみ必要なシステムとしても実現できることは言及するまでもない。また、コンテンツ再生システムとして本発明に係る別情報追加処理を実行可能な形態だけでなく、本発明に係る別情報追加処理を端末単体で実行可能な形態（サーバ等との接続なく端末単体で別情報，コンテンツ関連情報，コンテンツの取得が可能な形態）についても、併せて説明している。
【００４１】
図１は本発明の一実施形態に係るコンテンツ再生システムの一構成例を示す概略図、図２は図１におけるコンテンツ再生端末の一構成例を示すブロック図、図３は図１における別情報配信サーバの一構成例を示すブロック図、図４は図１におけるコンテンツ関連情報配信サーバの一構成例を示すブロック図である。
【００４２】
図１ないし図４において、１はコンテンツ再生端末、２は別情報配信サーバ、３はコンテンツ関連情報配信サーバ、４は通信網、５はコンテンツ、６はコンテンツ配信サーバ、１１はコンテンツ再生部、１２はコンテンツ関連情報参照部、１３は別情報追加部、１４は通信部、１５は別情報取得部、１６は記録部、１７は別情報加工部、２１は通信部、２２は別情報配信部、２３は別情報制御部、２４は別情報加工部、３１は通信部、３２はコンテンツ関連情報配信部、３３はコンテンツ関連情報加工部である。
【００４３】
本発明の一実施形態に係るコンテンツ再生システム（以下、本システムという）は、コンテンツ再生端末１、別情報配信サーバ２、コンテンツ関連情報配信サーバ３、およびコンテンツ配信サーバ６が、通信網４に接続されてなるシステムであり、少なくとも端末１と各サーバ２，３，６との間で相互にデータのやりとりが可能となっている。但し、これらサーバ２，３，６は同じ機器で構成してもよい。また、コンテンツ再生端末１としては、図１で図示するように、ＰＣ、携帯電話、ＴＶ、ＰＤＡ、ＣＤプレイヤ、およびＤＶＤ等が適用できる。
【００４４】
また、コンテンツ再生端末１は、コンテンツ５として、ＣＤ，ＤＶＤ，記録メディア等の記録媒体に収録された収録データ、ハードディスク等に蓄積された音楽，動画，画像データ等を直接取得し、あるいは音楽，動画，画像データをコンテンツ配信サーバ６経由で通信網４を経て受信し、あるいは放送番組を受信して、再生する。なお、コンテンツ再生端末１は、これらのいずれかのコンテンツを再生可能に取得できればよい。
【００４５】
図２で例示するコンテンツ再生端末１は、コンテンツ再生手段の一例でなるコンテンツ再生部１１、コンテンツ関連情報参照手段の一例でなるコンテンツ関連情報参照部１２、別情報追加手段の一例でなる別情報追加部１３、通信手段の一例でなる通信部１４、別情報取得手段の一例でなる別情報取得部１５、記録手段の一例でなる記録部１６、および別情報加工手段の一例でなる別情報加工部１７を備える。
【００４６】
コンテンツ再生部１１は、コンテンツ５を再生する部位であり、コンテンツ５の再生にかかる必要な装置を内包しており、例えば、符号化されているコンテンツを復号化するチューナやＭＰＥＧ復号化チップ等から構成される。別情報追加部１３は、コンテンツ再生部１１で映像や音声に変換された信号に、別情報を追加する。通信部１４は、通信網４とのデータのやり取りを行う部位であり、通信網４の形態によってイーサネット（登録商標）カードや、無線ＬＡＮアンテナ、赤外線送受光部等から構成される。
【００４７】
別情報加工部１７は、音声や映像の加工を行う部位であり、例えばユーザ設定において、音声消去や、画像の縮小拡大を行う必要が生じた際に処理を行い、加工後の別情報を別情報追加部１３に渡す。別情報取得部１５は、追加すべき別情報を取得する部位であり、必要に応じて通信部１４を利用し、インターネット上の情報などを収集することや、能動的に情報を受ける場合に受け口となるためのＨＴＴＰサーバアプリケーションの起動を行う。
【００４８】
コンテンツ関連情報参照部１２は、再生中のコンテンツ５に関する情報を参照する部位であり、コンテンツ内にその情報が埋め込まれていない場合は通信部１４を利用し、インターネット上から情報を収集する。記録部１６は、ＨＤＤやフラッシュメモリ等から構成され、他の部位をコントロールするアプリケーション、ユーザの設定情報、コンテンツ５の保管部となりうる。
【００４９】
図３で例示する別情報配信サーバ２は、通信手段の一例でなる通信部２１、別情報配信手段の一例でなる別情報配信部２２、別情報制御部２３、および別情報加工部２４を備える。別情報配信サーバ２は、ショッピングサイト、ニュースサイト、オークションサイト、および株取引サイト等、種々のサイトをインターネット上で提示可能に備えるサーバであって、サイトに関連する別情報を配信している。なお、これらのサイトは基本的に複数の提供業者が別々に運営しており、従って通常、サイト毎に別のサーバで構築されているが、これらを１つにまとめて別情報の配信を包括的に行うようにサーバを構築してもよい。
【００５０】
通信部２１は、コンテンツ再生端末１における通信部１４と同様の構成でよく、その説明を省略する。別情報配信部２２は、受動型の場合はＨＴＴＰサーバ等のアプリケーションを起動といった役割を担い、要求に応じて別情報の配信を行う。その代表的な実施形態は、ニュースサイトやポータルサイトである。また、能動型の場合は他のクライアントに向け情報を配信するアプリケーションを実装している。例えば、ＳＭＴＰプロトコル、ＨＴＴＰのＰＵＴプロトコル、ＳＩＰプロトコル等を利用して能動的に別情報の配信を行う。
【００５１】
別情報制御部２３は、別情報を受けたいユーザの設定によって別情報の配信タイミング等をコントロールできるアプリケーションから構成される。別情報加工部２４は、別情報を受けたいユーザの設定によって別情報の内容を加工することができるアプリケーション等から構成される。なお、加工例については、前述のコンテンツ再生端末１の情報加工部１７と同等であるため、その説明を省略する。
【００５２】
図４で例示するコンテンツ関連情報配信サーバ３は、通信部３１、コンテンツ関連情報配信部３２、およびコンテンツ関連情報加工部３３を備える。コンテンツ関連情報配信サーバ３としては、電子番組表配信サーバやＣＤ／ＤＶＤ曲目（演目）配信サーバ等が挙げられ、これらのサーバは複数の提供業者が別々に設置運営してもよいし、配信を包括的に行うようにサーバを構築してもよい。
【００５３】
通信部３１についての説明は、コンテンツ再生端末１の通信部１４と同様であるため省略する。コンテンツ関連情報配信部３２は、受動型の場合はＨＴＴＰサーバ等のアプリケーションの起動を担い、要求に応じてコンテンツ関連情報を配信を行う。その代表的な実施形態は、ＥＰＧサーバやＣＤＤＢサーバである。
【００５４】
コンテンツ関連情報加工部３３は、コンテンツ関連情報をユーザごとにカスタマイズできるアプリケーションから構成される。例えば、番組表情報に、ユーザ毎に別情報配信をされたくない時間帯等のマーキングをつけたものを配信する。
【００５５】
本実施形態では、上述のごとき構成により、ニュース速報や広告情報等の別情報が追加された際に、再生コンテンツの関連情報を参照し、ユーザのコンテンツ視聴を（少なくともユーザがコンテンツに熱中している間）妨げずに、別情報の提供を行うことができる。例えば、ユーザが次週に同じ番組を視聴している際や、同じジャンルに属する番組、あるいは同じ出演者に関する番組を視聴している際などの、特定条件に合致するコンテンツを視聴中の場合には、自動的に広告の抑止を行うことや、別情報の追加方法を変更することにより、コンテンツ視聴を妨げずに別情報が提供できる。このように、再生中のコンテンツのタイトル、ジャンル、出演者等のコンテンツ関連情報を、通信網等を利用し、参照する手段を搭載し、特定条件に合致するコンテンツの再生時には情報の追加方法を容易に変更可能となる。さらに、本発明によれば、コンテンツ再生中の別情報の提示が、そのコンテンツに対するユーザの過去の視聴実態（コンテンツ再生中の別情報の視聴状態）に応じて実行できるので、コンテンツを再生する度に別情報の抑止操作を行う必要もない。また、本発明では、別情報提供者側からの能動的な配信に対応した提示も可能となる。
【００５６】
次に、図１ないし図４で説明したコンテンツ再生システムの一部あるいは全部を適用した具体例を説明する。
【００５７】
（具体例I）
まず、具体例Iとして、コンテンツ再生端末１のみでコンテンツ再生処理および別情報の追加処理が完結するシンプルなケースを説明する。また、この具体例Iでは、コンテンツ再生端末１はデジタル放送が再生できるＴＶであり、番組再生中にＴＶ画面の一部に別情報として現在時刻を表示する機能を搭載しているものとし、「特定ジャンルの番組視聴中には時計表示を抑止する」といったシナリオを採用して説明する。
【００５８】
図５は本発明に係るコンテンツ再生端末における別情報追加処理の一例を説明するための模式図、図６は図５の別情報追加処理を実行するためのコンテンツ再生端末の一構成例を示すブロック図、図７は図６における復号化部の処理を説明するための模式図、図８は図５の別情報追加処理のうち抑止設定処理の一例を説明するためのフロー図、図９は図５の別情報追加処理のうち抑止実施処理の一例を説明するためのフロー図である。
【００５９】
まず、図５を参照して説明する。コンテンツ再生端末１は、デジタル放送アンテナ７からのデジタル放送波を受信し、ＴＶ画面に時刻表示と合成表示する（フェーズ１）。この状態でユーザがリモコン１ａの「時計」ボタンを押下すると（フェーズ２）、時計表示が消え、以降、同様のジャンルの番組を視聴中には自動的に時計が表示されなくなる（フェーズ３）。
【００６０】
図６で例示するコンテンツ再生端末１において、コンテンツ再生部１１は、デジタル放送アンテナ７から発せられた電波を受信アンテナ１０ａおよびケーブル１０ｂを経由して受信し、デジタル放送チューナ１１ｂを含む復号化部１１ａを用いて、図７に示すように、映像パート、音声パート、およびデータパートに復号化する。また、コンテンツ関連情報参照部１２は、復号化されたデータパートから番組情報を参照し、番組ジャンル「科学」を取得する。
【００６１】
別情報追加部１３は、現在時刻を取得する時刻取得部１０ｄから現在時刻を取得し、復号化された映像パートに合成し、ディスプレイ１０ｐやスピーカ１０ｑから構成される出力部１０ｃに出力する。
【００６２】
記録部１６は、設定を保存するデータベースを持つ。演算処理部１０ｅは、ＣＰＵ（中央演算処理装置）１０ｒ、ＲＡＭ（ランダムアクセスメモリ）１０ｓ、ＲＯＭ（リードオンリーメモリ）１０ｔ等から構成され、記録部１６のデータベースの読み書きを行うことや他の部位のアプリケーションの動作を担う。インターフェース部１０ｆは、赤外線受光部１０ｕを通じ、リモコン１ａからの命令を受信し、時計の表示／非表示命令を演算処理部１０ｅに伝える。
【００６３】
図８を参照して、時計抑止設定処理の流れを説明する。まず、ユーザが「科学ジャンルの番組を見ている際にはコンテンツに集中したいので時計表示を消したい」と感じ、科学ジャンルの番組を視聴中に、リモコン１ａの「時計」ボタンを押下する（ステップＳ１）。
【００６４】
次に、現在時計が表示中であるか否かを判定し（ステップＳ２）、時計が表示されていた場合には、コンテンツ関連情報参照部１２は、放送中の番組名、出演者、放送時間、ジャンルといったコンテンツ関連情報を参照する（ステップＳ３）。ステップＳ３で取得するコンテンツ関連情報としては、図７で示した例では、チャンネルが「１ｃｈ」、番組名が「宇宙実況」、ジャンルが「科学」といった番組情報となる。この例のように、もし、その際に取得した番組のジャンルが「科学」であった場合には、記録部１６の時計表示抑止テーブルに、時計表示抑止ジャンルとして「科学」を追記する（ステップＳ４）。同様に、仮に「ドラマ」を表示中にステップＳ１のユーザ操作がなされた場合には、データベース中の時計表示抑止テーブルに「ドラマ」を追記する。次に、別情報追加部１３は、時計表示の追加を中止する（ステップＳ５）。
【００６５】
一方、ステップＳ２で時計が表示されていなかった場合には、データベース中の時計表示抑止テーブルから「科学」を消去し（ステップＳ６）、時計表示を行う（ステップＳ７）。以上で、科学ジャンルの番組視聴中に時計表示／非表示の設定の流れの解説を終了する。
【００６６】
次に、図９を参照して、時計表示が抑止される処理の流れを説明する。まず、ユーザがＴＶ視聴中に見ていた番組が終了して次の番組が始まるか、あるいはユーザのリモコン１ａ操作によりチャンネルが切り替わり、現在視聴中のものとは違う番組が開始された際など、番組開始／チャンネル変更を検出する（ステップＳ１１）。この検出により、コンテンツ関連情報参照部１２は、放送中の番組情報を参照し（ステップＳ１２）、番組のジャンルを取得する。ステップＳ１２で取得するコンテンツ関連情報としては、例えば、チャンネルが「３ｃｈ」、番組名が「健康と科学」、ジャンルが「科学」といった番組情報となる。
【００６７】
次に、記録部１６にデータベース形式で記録されている時計表示抑止ジャンルテーブルを参照し、この例のように、「科学」が含まれているならば（ステップＳ１３でＹＥＳ）、別情報追加部１３は時計表示の追加を中止する（ステップＳ１４）。逆に、含まれていなければ時計表示を追加表示する（ステップＳ１５）。
【００６８】
図８および図９で説明した２つの処理により、ユーザは集中したい番組のジャンルの視聴中には時計表示を抑止設定することができ、次の番組が始まった場合や違うチャンネルに変えた際に、抑止対象でない番組の再生が開始された場合には再度時計が表示される。また、同様の流れで、番組単位、出演者単位、あるいはチャンネル単位での設定も可能である。
【００６９】
（具体例II）
次に、具体例IIとして、コンテンツ再生処理および別情報の追加処理が、コンテンツ再生端末１、別情報配信サーバ２、およびコンテンツ関連情報配信サーバ３が通信網４で接続されてなるシステムにおいて実行されるケースを説明する。
【００７０】
また、この具体例IIでは、コンテンツ再生端末１を通信網４に常時接続されている地上波情報家電ＴＶ、別情報配信サーバ２を株取引情報を配信して株の売買を促進する株取引サイト、コンテンツ関連情報配信サーバ３を電子番組表配信サーバ、通信網４をインターネット網、コンテンツ５を地上波ＴＶ番組、とそれぞれ仮定する。さらに、具体例IIにおいては、ユーザは「『Ａ社の株価が￥１８００を超えた』といった情報を受けたいが、音楽番組再生中は番組に集中したいため、無音で配信を行って欲しい」といった要求があると仮定したシナリオを採用して説明する。
【００７１】
図１０は本発明に係るコンテンツ再生システムにおける別情報追加処理の他の例を説明するための模式図、図１１は図１０の別情報追加処理を実行するためのコンテンツ再生端末の一構成例を示すブロック図、図１２は図１１のコンテンツ再生端末における各部の詳細を説明するための図である。ここで、図１２（Ａ）は復号化部の処理を説明するための模式図、図１２（Ｂ）は通信部で受け取る番組情報の例を説明するための模式図、図１２（Ｃ）は記録部に記録された別情報表示抑止テーブルの例を説明するための模式図である。
【００７２】
まず、図１０を参照して説明する。コンテンツ再生端末１は、地上波放送アンテナ８からの放送波を受信し、ディスプレイ１０ｐに表示する。また、通信網４に常時接続しており、電子番組表配信サーバ３から電子番組表を取得し、現在放送中の番組情報を得ることができ、また、ユーザは希望の株価変動があった際に株取引サイト２から株価変動の別情報を受けることが可能である。
【００７３】
ここで、別情報は、株取引サイト２で作成され、例えば、図１０中の地上波情報家電ＴＶ１における小窓１０ｐｐに表示されたような情報である。この例での別情報は、小窓形式で、別情報を受けたという注意を促すチャイム音と、「Ａ社の株価が￥１８００円を超えました」と記述された文章と、さらに同内容を合成音声で読み上げが成されて消えるという一連の１５秒程度のポップアップメッセージである。別情報を受けた地上波情報家電ＴＶ１は、ディスプレイ１０ｐの画面の右下に別情報を表示し、スピーカ１０ｑから現在の視聴中の番組の音と合成された音声を流す。このように、例えば２５０ピクセル×２５０ピクセルの大きさの小窓１０ｐｐが１５秒程度、ＴＶ画面（ディスプレイ１０ｐ）の一部に表示されて消える。そして、情報が届くと（例えば表示と同時に）、チャイム音を鳴らして視聴者にメッセージ到着を知らせ、合成音声読み上げ処理により文章を読み上げる。
【００７４】
図１１で例示するコンテンツ再生端末１（地上波情報家電ＴＶ）において、コンテンツ再生部１１は、地上波放送アンテナ８から発せられた電波を受信アンテナ１０ｇ、ケーブル１０ｈを経由して受信し、地上波放送チューナ１１ｃを含む復号化部１１ａを用いて、図１２（Ａ）でコンテンツの復号化のイメージを示すように、映像パート、音声パートに復号化する。
【００７５】
コンテンツ関連情報参照部１２は、図１２（Ｂ）で番組情報の例を示すように、イーサネット（登録商標）カード１４ａを含む通信部１４を通じ、通信網４（インターネット）に接続して、コンテンツ関連情報配信サーバ３（電子番組表サーバ）に接続し、現在放送中の番組のジャンル、出演者、放送時間、番組タイトル等のコンテンツ関連情報を取得する。図１２（Ｂ）で番組情報の例では、コンテンツ関連情報として、チャンネルが「６ｃｈ」、番組名が「ポップミュージック」、ジャンルが「音楽番組」、出演者が「○○××」といった番組情報を取得する。
【００７６】
別情報取得部１５は、外部からの情報を待ち受ける部位であり、ＨＴＴＰサーバを立ち上げ、通信部１４経由で別情報配信サーバ２（株取引サイト）からの情報を受け取ることができる。別情報加工部１７は、別情報取得部１５から小窓１０ｐｐおよび付属の音声で例示したような別情報を受け取り、ユーザの指定条件によって、例えば音声のみの消去といった加工を行う。別情報追加部１３は、別情報加工部１７で加工済みの別情報を合成し、ディスプレイ１０ｐとスピーカ１０ｑ等からなる出力部１０ｃに出力する。
【００７７】
インターフェース部１０ｆは、赤外線受光部１０ｕを通じ、リモコン１ａからの信号を受信し、演算処理部１０ｅに制御命令を伝える。記録部１６は、ＨＤＤから構成され、図１２（Ｃ）で示す別情報表示抑止テーブルのような、ユーザの情報加工設定を保存するデータベースを持つ。図１２（Ｃ）の例では、別情報表示抑止テーブルとして、抑止チャンネルが「１ｃｈ」でその抑止方法が「全抑止」、抑止ジャンルが「音楽番組」でその抑止方法が「音抑止」といった情報を格納している。演算処理部１０ｅは、ＣＰＵ１０ｒ、ＲＡＭ１０ｓ、ＲＯＭ１０ｔ等から構成され、記録部１６のデータベースの読み書きや、別情報取得部１５のサーバアプリケーションの処理等を行う。
【００７８】
図１３は図１０の別情報追加処理を実行するための別情報配信サーバの一構成例を示すブロック図である。図１３では、別情報配信サーバ２として、株取引サイトをユーザに提供するためのサーバを例に挙げて説明する。
【００７９】
別情報配信サーバ２は、通信部２１、株価情報保管部２６、記録部２８、別情報作成部２５、演算処理部２７、および別情報配信部２２を構成要素として備える。
【００８０】
通信部２１は、通信網４と接続し、イーサネット（登録商標）カード２１ａから構成される。株価情報保管部２６は、株価情報を保持する。記録部２８は、ＨＤＤから構成され、ユーザ情報とユーザ設定を記録するデータベースを構成する。別情報作成部２５は、そのユーザ設定と株価情報からユーザ毎の別情報を作成する。演算処理部２７は、これらの部位を動作させるためのＣＰＵ２７ａ、ＲＡＭ２７ｂ、ＲＯＭ２７ｃ等から構成される。別情報配信部２２は、別情報を各ユーザの端末に配信するためのアプリケーション等からなる。
【００８１】
図１４は図１０の別情報追加処理を実行するためのコンテンツ関連情報配信サーバの一構成例を示すブロック図である。図１４では、コンテンツ関連情報配信サーバ３として、電子番組表サーバを例に挙げて説明する。
【００８２】
コンテンツ関連情報配信サーバ３（電子番組表サーバ）は、通信部３１、コンテンツ関連情報配信部３２、電子番組表保管部３４、演算処理部３５、および記録部３６を備える。
【００８３】
通信部３１は、通信網４と接続し、データをやりとりするイーサネット（登録商標）カード３１ａ等からなる。コンテンツ関連情報配信部３２は、電子番組表を配信するためのサーバアプリケーション等からなる。電子番組表保管部３４は、電子番組表データを保持する。演算処理部３５は、前述の部位を動作させるためのＣＰＵ３５ａ、ＲＡＭ３５ｂ、ＲＯＭ３５ｃ等から構成される。記録部３６は、前述の部位のアプリケーション等を格納する。
【００８４】
図１０ないし図１４で説明したシステム構成における大まかな処理の流れを図１５を用いて説明する。図１５は図１０の別情報追加処理の概要を説明するためのフロー図である。
【００８５】
フェーズ０は、ユーザ登録フェーズであり、ユーザ側のアクションとなる。フェーズ０では、まず、ユーザは情報配信を受けるため、株取引サイト２にユーザ登録を行う（ステップＳ２０）。もし、既にこのサイト２にユーザ登録が済んでいる場合にはこのフェーズは必要ない。
【００８６】
フェーズ１は、情報配信設定フェーズであり、ユーザ側のアクションとなる。フェーズ１では、ユーザはどんな情報が欲しいかといった設定を行う（ステップＳ２１）。具体的には、「Ａ社の株価が￥１８００円を超えた」という情報を配信して欲しいといった設定を行う。ここで行った設定はユーザＩＤとともに株取引サイト２の記録部２８のデータベースに記録される。
【００８７】
フェーズ２は、情報配信フェーズであり、株取引サイト側のアクションとなる。フェーズ２では、株の取引情報を常に監視している株取引サイト２が、ユーザの設定条件になった際にユーザのＴＶ１に向けて音と映像つきのウィンドウを開く方式で情報を配信する（ステップＳ２２）。
【００８８】
フェーズ３は、情報表示方法変更フェーズであり、ユーザ側のアクションとなる。フェーズ３では、ユーザが「音楽番組再生中は音楽に集中したいため株情報の配信は画像のみで音を鳴らさないで欲しい」と感じたため、該当ジャンルの番組再生中は配信情報の音を消すという設定をＴＶ上で行う（ステップＳ２３）。この設定はユーザのＴＶの記録部１６に保存される。
【００８９】
フェーズ４は、情報加工／表示フェーズであり、ユーザ側のアクションとなる。フェーズ４では、以降、ユーザのＴＶは株取引サイトからの配信を受ける度に、ユーザの設定した条件下での情報表示を行う（ステップＳ２４）。
【００９０】
以降、各フェーズの詳細な説明を行う。
【００９１】
＜フェーズ０＞
図１６は図１５の処理のうち株取引サイトにおけるユーザ登録処理（ユーザ登録フェーズ）の一例を説明するためのフロー図、図１７は図１６のユーザ登録処理を補足して説明するための模式図である。ここで、図１７（Ａ）はユーザ登録画面の一例を示す図、図１７（Ｂ）はユーザ登録時のエラー画面の一例を示す図、図１７（Ｃ）はユーザデータベースのテーブルの一例を示す図である。
【００９２】
ステップＳ２０のフェーズ０（ユーザ登録フェーズ）では、まず、ユーザが株取引サイト２にアクセスする。すると株取引サイト２側では図１７（Ａ）のごときユーザ登録画面を表示する（ステップＳ３１）。ユーザは、ＴＶ１において、ユーザ登録画面に従い、自分のＩＤ（ｙａｍａｄａ）、パスワード（ｐａｓｓｗｏｒｄ）、配信先のＩＰアドレス（１９２．１６８．０．１）を入力する。
【００９３】
なお、配信先として、ここではＩＰアドレスを例に説明したが、ＤＤＮＳ（Ｄｙｎａｍｉｃ  ＤＮＳ）サービスと組み合わせたホスト名や、インターネット電話の電話番号代わりに使用されるＳＩＰ（Ｓｅｓｓｉｏｎ  Ｉｎｉｔｉａｔｉｏｎ  Ｐｒｏｔｏｃｏｌ）アドレス、あるいは電子メールを用いてもよい。
【００９４】
株取引サイト２では、記録部２８に保管されているユーザデータベースを参照し（ステップＳ３２）、ユーザＩＤおよびパスワードをそのデータベースから照合し（ステップＳ３３）、前記データベース上に存在しなければ新規登録する（ステップＳ３４）。ユーザデータベースは、例えばユーザ登録画面での入力情報の一部あるいは全部に相当する図１７（Ｃ）で例示するような情報（ユーザＩＤ、パスワード、および送信先等）を格納している。また、すでに存在している場合は、図１７（Ｂ）で例示したように「すでにＩＤが登録されています。別のＩＤを登録してください」などといったエラー画面を表示する（ステップＳ３５）。
【００９５】
＜フェーズ１＞
図１８は図１５の処理のうち株取引サイトにおけるログイン処理（ログインフェーズ）の一例を説明するためのフロー図、図１９は図１８のログイン処理を補足して説明するための模式図である。ここで、図１９（Ａ）はログイン画面の一例を示す図である。図１９（Ｂ）はログイン時のエラー画面の一例を示す図である。図１９（Ｃ）はユーザデータベースのテーブルの一例を示す図である。また、図２０は図１５の処理のうち株取引サイトにおける情報配信設定処理（情報配信設定フェーズ）の一例を説明するためのフロー図、図２１は図２０の情報配信設定処理を補足して説明するための模式図である。ここで、図２１（Ａ）は情報配信設定画面の一例を示す図、図２１（Ｂ）は情報配信設定後の確認画面の一例を示す図、図２１（Ｃ）はデータベース「配信条件テーブル」の一例を示す図である。
【００９６】
ステップＳ２１のフェーズ１（別情報配信設定フェーズ）では、まず、ユーザが株取引サイト２のログインアドレスにアクセスする。図１９（Ａ）で例示するような、ログイン画面がディスプレイ１０ｐに表示され（ステップＳ４１）、ユーザ入力によりログイン処理を開始する。
【００９７】
株取引サイト２側では、記録部２８に保管されているユーザデータベースを参照し、ユーザＩＤとパスワードの照合を行う（ステップＳ４２）。図１９（Ｃ）で例示するように、ユーザデータベースにユーザＩＤとパスワードのペアが存在すれば（ステップＳ４３でＹＥＳ）、配信先のＩＰアドレス（１９２．１６８．０．１）を読み出し（ステップＳ４４）、次の設定画面に進む。存在しなければ、図１９（Ｂ）で例示したように「ＩＤが登録されていないか、パスワードが違います」などといったエラー画面を表示する（ステップＳ４５）。
【００９８】
次に、図２０を参照して、ユーザが「Ａ社の株価が￥１８００を超えたら配信を行う」という条件設定をする流れを説明する。まず、株取引サイト２は、情報配信設定画面表示を行う（ステップＳ５１）。ユーザは、図２１（Ａ）で例示するような情報配信設定画面において、受け取りたい情報の条件設定を行う。
【００９９】
図２１（Ａ）の例で説明すると、まず、会社選択で「Ａ社」を選択し、情報を受け取りたい株価の閾値の欄に「￥１８００」と入力し、配信条件として「超えたら配信」を選択する。株取引サイト２側では、受け取った条件を記録部２８のデータベースの条件テーブル：ｎｏｔｉｃｅ（図２１（Ｃ）を参照）に保管する（ステップＳ５２）。続いて、株取引サイト２が、図２１（Ｂ）で例示するような「設定が完了致しました。Ａ社株が￥１８００を超えた際に１９２．１６８．０．１宛に情報配信を行います」などといった情報配信確認画面をＴＶ１のディスプレイ１０ｐに表示させる（ステップＳ５３）。
【０１００】
＜フェーズ２＞
図２２は図１５の処理のうち株取引サイトにおける別情報配信処理（別情報配信フェーズ）の一例を説明するためのフロー図、図２３は図２２の別情報配信処理を補足して説明するための模式図である。ここで、図２３（Ａ）は情報配信時の画面の一例を示す図、図２３（Ｂ）は情報配信時の通信内容の一例を示す図である。
【０１０１】
ステップＳ２２のフェーズ２（情報配信フェーズ）では、ユーザの地上波情報家電ＴＶ１に別情報を配信するに際して、まず、株取引サイト２が株価変動を常に監視している（ものとするステップＳ６１）。株価変動があった際に（ステップＳ６２でＹＥＳ）、記録部２８のデータベースに保管されているユーザの配信条件を参照し、配信条件に達しているかどうかを判定する（ステップＳ６３）。ステップＳ６３で配信条件になっていた場合には、別情作成部２５は「Ａ社の株価が￥１８００円を超えた」という音付きのポップアップメッセージを作成する（ステップＳ６４）。
【０１０２】
次に、別情報配信部２２は、配信先である、ユーザの情報家電ＴＶ１のＩＰアドレス（１９２．１６８．０．１）のＨＴＴＰポート宛に、ＰＯＳＴメソッドの添付部分にポップアップメッセージをエンコードして埋め込み（図２３（Ｂ）を参照）、通信部２１を通じて配信する（ステップＳ６５）。変動がない場合や、該当ユーザの指定条件に達していない場合にはステップＳ６１に戻る。
【０１０３】
ユーザの地上波情報家電ＴＶ１は、別情報取得部１５に起動しているＨＴＴＰサーバが別情報を受け取り、アプリケーションを起動し、別情報のＰＯＳＴメソッドの添付部分をデコードし、ポップアップメッセージを再構築し、別情報追加部１３によって現在再生中のコンテンツに株価情報の別情報を追加する。図２３（Ａ）で例示するように、追加された映像パートは、ディスプレイ１０ｐの小窓１０ｐｐで、音声パートはスピーカ１０ｑで再生される。
【０１０４】
＜フェーズ３＞
図２４は図１５の処理のうち株取引サイトにおける抑止情報配信処理（情報配信表示設定フェーズ）の一例を説明するためのフロー図、図２５は図２４の抑止情報配信処理を補足して説明するための模式図である。ここで、図２５（Ａ）は情報配信表示設定時の情報ブロック時の画面の一例を示す図、図２５（Ｂ）は情報配信表示設定時の番組情報の一例を示す図、図２５（Ｃ）は抑止レベル設定画面の一例を示す図、図２５（Ｄ）は抑止方法設定画面の一例を示す図、図２５（Ｅ）は情報表示抑止テーブルの一例を示す図である。
【０１０５】
ステップＳ２３のフェーズ３（情報表示方法変更フェーズ）について、別情報配信を地上波情報家電ＴＶ１で受けたユーザが、情報配信方法を設定するケースを説明する。まず、ユーザが「音楽番組に熱中しており、別情報は欲しいが音での配信は不要と感じたため、配信方法を変更しよう」と思い、図２５（Ａ）で例示するように、リモコン１ａの「情報」ボタン１ｂを押下した（ステップＳ７１）とする。ユーザの地上波情報家電ＴＶ１のコンテンツ関連情報参照部１２は、通信網４を利用し、電子番組表を取得し、図２５（Ｂ）で例示するような、この時点で再生しているコンテンツ関連情報を取得する（ステップＳ７２）。
【０１０６】
この電子番組表情報を基に、まず、図２５（Ｃ）で例示するような、どのレベルで抑止するかのレベル設定画面を表示する（ステップＳ７３）。「番組」、「ジャンル」、「出演者」、あるいは「チャンネル」といった抑止したいレベルをリモコン１ａの上下ボタンで選択して設定できる。「番組」は、この番組に限った設定で、毎週この番組が再生されている際にのみに適用される。「ジャンル」は、音楽番組全てを再生している際に適用される。「出演者」は、この出演者が出演している番組を再生している際に全て適用される。「チャンネル」は、このチャンネルを再生している際には全て適用される。地上波情報家電ＴＶは、ここで設定された抑止レベルを記憶しておき次のステップに進む（ステップＳ７４）。
【０１０７】
次に抑止方法を設定する。図２５（Ｄ）で例示するように、「保留する」、「画像のみで配信」、「音声のみで配信」が選べるプルダウンメニューを表示する（ステップＳ７５）。ユーザは、リモコン１ａの上下ボタンで選択して設定できる。「保留する」は、次回から抑止設定がされていない状態の番組が始まるか、チャンネルが切り替わるまで情報配信が保留される。「画像のみで配信」は、別情報加工部１７において音声が抹消されて別情報追加部１３に渡される。「音声のみで配信」は、同様に画像が抹消される。
【０１０８】
この例では、レベルとして「ジャンル」、方法として「画像のみで配信」が選択されたため、ユーザの地上波情報家電ＴＶ１は、記録部１６に保管されている情報（別情報）表示抑止テーブルに、音楽番組では音のみを消去するという情報を書き込む（ステップＳ７６）。ステップＳ７６で書き込まれる情報は、図２５（Ｅ）で例示するように、抑止チャンネルが「１ｃｈ」でその抑止方法が「全抑止」、抑止ジャンルが「音楽番組」でその抑止方法が「音抑止」といった情報となる。
【０１０９】
＜フェーズ４＞
図２６は図１５の処理のうち株取引サイトにおける、別情報抑止状態での別情報追加処理（情報加工／表示フェーズ）の一例を説明するためのフロー図である。
【０１１０】
ステップＳ２４のフェーズ４（情報加工／表示フェーズ）を、前フェーズで設定した情報表示抑止状態でユーザの地上波情報家電ＴＶ１が別情報を受信したケースを例に挙げて説明する。
【０１１１】
まず、ユーザが地上波情報家電ＴＶの電源を入れ、コンテンツの再生開始（ステップＳ８１）を行うと、演算処理部１０ｅは記録部１６に「保留」状態の別情報が存在するかどうかを判定する（ステップＳ８２）。ステップＳ８２で無いと判定された場合、別情報追加部１３は何もせず、コンテンツ再生部１１が再生しているコンテンツはそのまま出力部１０ｃへ配信され、コンテンツが再生される（ステップＳ８３）。一方、ステップＳ８２であると判定された場合、現在視聴しているコンテンツ関連情報を持っているかどうかを判定し（ステップＳ８６）、無いならば通信部１４を通じ、コンテンツ関連情報を取得する（ステップＳ８７）。ここで取得するコンテンツ関連情報としては、例えば、リソースが「ＴＶ番組」、チャンネルが「３ｃｈ」、番組名が「Ｊ−Ｐｏｐ」、ジャンルが「音楽番組」、出演者が「○○、××」といった番組情報が挙げられる。
【０１１２】
ここでコンテンツ関連情報を参照し（ステップＳ８８）、ユーザが設定した保留条件に合致しているか否かを判定する（ステップＳ８９）。この判定は、例えば、「○○」が出演中は別情報の追加を保留する、あるいはＣＤ再生中は別情報の追加を保留する、といった特定条件テーブル［保留］を参照することで行えばよい。ステップＳ８９で合致していると判定された場合、別情報を記録部１６に記憶して保留しておき（ステップＳ９０）、コンテンツ再生へと進む（ステップＳ８３）。
【０１１３】
次に、ステップＳ８９において特定条件「保留」に合致しなかった場合、加工に関する特定条件に合致するか否かを判定する（ステップＳ９１）。この判定は、例えば、「音楽番組」ジャンルの再生中は別情報の音を消去する、といった特定条件テーブル［加工］を参照することで行えばよい。ステップＳ９１で加工に合致していたと判定された場合は、別情報加工部１７は別情報を加工する（ステップＳ９２）。ステップＳ９２では、音楽番組再生中は、別情報に付属している音声部分を消去し、画像のみに加工する。保留にも加工にも合致しない場合は、そのまま別情報追加部１３が別情報を追加する（ステップＳ９３）。
【０１１４】
その後、別情報追加部１３は、順次別情報の追加を行い、保留している情報がなくなるまでループする（ステップＳ８２へ戻る）。最終的にコンテンツ再生状態で安定状態に入ると、次はステップＳ８３におけるイベント待ち受け状態になる。ここで、イベントとは「再生コンテンツ切り替え（ステップＳ８４）」、「別情報受信（ステップＳ８５）」、および「再生終了（ステップＳ９４）」の３パターンがある。
【０１１５】
「再生コンテンツ切り替え」は、現在見ている番組が終了し次の番組が始まった場合や、チャンネルの切り替え、あるいはビデオの再生など、再生しているコンテンツの切り替えが起こった場合に発生する（ステップＳ８４）。この場合、スタート時と同じくステップＳ８２に移動し、判定を行う。
【０１１６】
次に「別情報受信」であるが、これは新たに別情報を受信した場合に発生する（ステップＳ８５）。ステップＳ８５の後は、ステップＳ８６に遷移する。次に「再生終了」であるが、これはＴＶの電源を切るなどして、再生を終了した場合に発生し、全ての動作を終了する（ステップＳ９４）。
【０１１７】
以上、本発明について具体例I，IIを例示して説明したが、これらの具体例においてコンテンツを様々な形態におきかえてもよい。例えば、コンテンツ再生端末１がＴＶチューナ機能搭載パソコンとした場合、ＴＶ番組を視聴中に電子番組表を参照し、「『アーティスト：○○××』の出演中には情報表示を抑止」といった設定を行った場合、その後、前述アーティストのＣＤの再生中や、通信網４からダウンロードした音楽データを再生中にも別情報追加制御を適用してもよい。
【０１１８】
以上、発明の実施の形態および実施例について説明を行なったが、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【図面の簡単な説明】
【０１１９】
【図１】本発明の一実施形態に係るコンテンツ再生システムの一構成例を示す概略図である。
【図２】図１におけるコンテンツ再生端末の一構成例を示すブロック図である。
【図３】図１における別情報配信サーバの一構成例を示すブロック図である。
【図４】図１におけるコンテンツ関連情報配信サーバの一構成例を示すブロック図である。
【図５】本発明に係るコンテンツ再生端末における別情報追加処理の一例を説明するための模式図である。
【図６】図５の別情報追加処理を実行するためのコンテンツ再生端末の一構成例を示すブロック図である。
【図７】図６における復号化部の処理を説明するための模式図である。
【図８】図５の別情報追加処理のうち抑止設定処理の一例を説明するためのフロー図である。
【図９】図５の別情報追加処理のうち抑止実施処理の一例を説明するためのフロー図である。
【図１０】本発明に係るコンテンツ再生システムにおける別情報追加処理の他の例を説明するための模式図である。
【図１１】図１０の別情報追加処理を実行するためのコンテンツ再生端末の一構成例を示すブロック図である。
【図１２】図１１のコンテンツ再生端末における各部の詳細を説明するための図である。
【図１３】図１０の別情報追加処理を実行するための別情報配信サーバの一構成例を示すブロック図である。
【図１４】図１０の別情報追加処理を実行するためのコンテンツ関連情報情報配信サーバの一構成例を示すブロック図である。
【図１５】図１０の別情報追加処理の概要を説明するためのフロー図である。
【図１６】図１５の処理のうち株取引サイトにおけるユーザ登録処理の一例を説明するためのフロー図である。
【図１７】図１６のユーザ登録処理を補足して説明するための模式図である。
【図１８】図１５の処理のうち株取引サイトにおけるログイン処理の一例を説明するためのフロー図である。
【図１９】図１８のログイン処理を補足して説明するための模式図である。
【図２０】図１５の処理のうち株取引サイトにおける情報配信設定処理の一例を説明するためのフロー図である。
【図２１】図２０の情報配信設定処理を補足して説明するための模式図である。
【図２２】図１５の処理のうち株取引サイトにおける別情報配信処理の一例を説明するためのフロー図である。
【図２３】図２２の別情報配信処理を補足して説明するための模式図である。
【図２４】図１５の処理のうち株取引サイトにおける抑止情報配信処理の一例を説明するためのフロー図である。
【図２５】図２４の抑止情報配信処理を補足して説明するための模式図である。
【図２６】図１５の処理のうち株取引サイトにおける、別情報抑止状態での別情報追加処理の一例を説明するためのフロー図である。
【符号の説明】
【０１２０】
１…コンテンツ再生装置（コンテンツ再生端末）、１ａ…リモコン、１ｂ…情報ボタン、２…別情報配信サーバ、３…コンテンツ関連情報配信サーバ、４…通信網、５…コンテンツ、６…コンテンツ配信サーバ、７…デジタル放送アンテナ、８…地上波放送アンテナ、１０ａ，１０ｇ…受信アンテナ、１０ｂ，１０ｈ…ケーブル、１０ｃ…出力部、１０ｄ…時刻取得部、１０ｅ，２７，３５…演算処理部、１０ｆ…インターフェース部、１０ｐ…ディスプレイ、１０ｑ…スピーカ、１０ｒ，２７ａ，３５ａ…ＣＰＵ、１０ｓ，２７ｂ，３５ｂ…ＲＡＭ、１０ｔ，２７ｃ，３５ｃ…ＲＯＭ、１０ｕ…赤外線受光部、１１…コンテンツ再生部、１１ａ…復号化部、１１ｂ…デジタル放送チューナ、１１ｃ…地上波放送チューナ、１２…コンテンツ関連情報参照部、１３…別情報追加部、１４，２１，３１…通信部、１４ａ，２１ａ，３１ａ…イーサネット（登録商標）カード、１５…別情報取得部、１６，２８，３６…記録部、１７，２４…別情報加工部、２２…別情報配信部、２３…別情報制御部、２５…別情報作成部、２６…株価情報保管部、３２…コンテンツ関連情報配信部、３３…コンテンツ関連情報加工部、３４…電子番組表保管部。
【図１】
2006295799.tif 000003
【図２】
2006295799.tif 000004
【図３】
2006295799.tif 000005
【図４】
2006295799.tif 000006
【図５】
2006295799.tif 000007
【図６】
2006295799.tif 000008
【図７】
2006295799.tif 000009
【図８】
2006295799.tif 000010
【図９】
2006295799.tif 000011
【図１０】
2006295799.tif 000012
【図１１】
2006295799.tif 000013
【図１２】
2006295799.tif 000014
【図１３】
2006295799.tif 000015
【図１４】
2006295799.tif 000016
【図１５】
2006295799.tif 000017
【図１６】
2006295799.tif 000018
【図１７】
2006295799.tif 000019
【図１８】
2006295799.tif 000020
【図１９】
2006295799.tif 000021
【図２０】
2006295799.tif 000022
【図２１】
2006295799.tif 000023
【図２２】
2006295799.tif 000024
【図２３】
2006295799.tif 000025
【図２４】
2006295799.tif 000026
【図２５】
2006295799.tif 000027
【図２６】
2006295799.tif 000028